(57)【要約】【課題】  表面と各側面が直交状態の化粧シートの成形が容易となり、製造コストの低減化等を図ることが可能な化粧シートの製造方法及び化粧シート用成形型を提供する。【解決手段】  複数に分割された型部材を有する成形型の外周面に成形材料を配置して、真空成形により成形型の外形形状に対応した化粧シートを成形し、成形完了後に、分割された各型部材を化粧シートから順に取り外すことによって化粧シートを製造する。前記成形型は、その各型部材が分割線に沿って移動する。【選択図】  図４
2005246888.tif 000002
【特許請求の範囲】
【請求項１】
複数に分割された型部材を有する成形型の外周面に成形材料を配置して、真空成形により成形型の外形形状に対応した化粧シートを成形し、成形完了後に、分割された型部材を化粧シートから順に取り外すことによって化粧シートを製造することを特徴とする化粧シートの製造方法。
【請求項２】
前記成形型は、各型部材を分割線に沿って移動させることにより、化粧シートから取り外されることを特徴とする請求項１に記載の化粧シートの製造方法。
【請求項３】
複数に分割された型部材を有しその外形形状が化粧シートの形状に対応して、外周面に配置された成形材料を真空成形することにより化粧シートを成形すると共に、成形完了後に化粧シートから各型材が順に取り外されることを特徴とする化粧シート用成形型。
【請求項４】
前記分割された複数の型部材は、分割線によって所定方向に移動可能に形成されていることを特徴とする請求項３に記載の化粧シート用成形型。
【請求項５】
前記分割された複数の型部材は、その表面側に該表面と略同一面積の板体が配置されると共に、裏面側に分割された型部材を連結する連結板が配置されていることを特徴とする請求項３または４に記載の化粧シート用成形型。
【発明の詳細な説明】
【技術分野】
【０００１】
本発明は、例えばキッチンキャビネットの化粧扉等の表面にラミネートされる化粧シートの製造方法及び化粧シート用成形型に関する。
【背景技術】
【０００２】
従来、キッチンキャビネットの化粧扉は、例えば外形形状が矩形形状に形成されたＭＤＦ等の基材に、塗装を施したり予め所定の化粧が施された化粧シートを接着すること等により、例えば裏面を除く表面と外周各側面に所定の化粧が施されている。そして、この化粧扉においては、キャビネットの開口部を閉塞することから、矩形形状の外周側面が表裏面に対して直交することが要求される場合が多い。
【０００３】
一方、基材の裏面を除く各面に化粧シートをラミネートする場合、予め基材の表面と各側面の外形形状に略合致した表面と側面を有する化粧シートを例えば真空成形型等で成形し、この化粧シートを基材の表面や各側面に被せて接着すること等によって行う方法が試みられている。なお、この種の化粧扉としては、例えば特許文献１に開示のものが知られている。
【特許文献１】特開平８−２６０８２９号公報
【発明の開示】
【発明が解決しようとする課題】
【０００４】
しかしながら、表裏面と外周各側面が直交する化粧扉とするために、その表面と各側面が直交する状態の化粧シートを成形する場合、化粧シートの成形形状に対応した真空成形型を使用して真空成形するため、成形完了後の化粧シートと真空成形型の取り外しが、互いに直交状態の表面と側面の取り外しとなってスムーズとならず、化粧シートの成形作業が面倒となったり、真空成形型の取り外し時に化粧シートに不良が発生し易く、化粧シート自体の製造コストがアップし易いという問題点を有している。
【０００５】
本発明は、このような事情に鑑みてなされたもので、その目的は、表面と各側面が直交状態の化粧シートの成形が容易となって、製造コストの低減化等を図ることが可能な化粧シートの製造方法及び化粧シート用成形型を提供することにある。
【課題を解決するための手段】
【０００６】
かかる目的を達成すべく、本発明のうち請求項１に記載の化粧シートの製造方法は、複数に分割された型部材を有する成形型の外周面に成形材料を配置して、真空成形により成形型の外形形状に対応した化粧シートを成形し、成形完了後に、分割された型部材を化粧シートから順に取り外すことによって化粧シートを製造することを特徴とする。
【０００７】
そして、前記成形型は、請求項２に記載の発明のように、各型部材を分割線に沿って移動させることにより、化粧シートから取り外されることが好ましい。
【０００８】
また、請求項３に記載の化粧シート用成形型は、複数に分割された型部材を有しその外周形状が化粧シートの形状に対応して、外周面に配置された成形材料を真空成形することにより化粧シートを成形すると共に、成形完了後に化粧シートから各型部材が順に取り外されることを特徴とする。
【０００９】
そして、前記分割された複数の型部材は、請求項４に記載の発明のように、分割線によって所定方向に移動可能に形成されていることが好ましく、また、請求項５に記載の発明のように、その表面側に該表面と略同一面積の板体が配置されると共に、その裏面側に分割された型部材を連結する所定大きさの連結板が配置されていることが好ましい。
【発明の効果】
【００１０】
本発明の請求項１に記載の製造方法によれば、成形型を使用し真空成形で化粧シートを成形した後に、成形型の分割された型部材を化粧シートから順に取り外すことにより化粧シートが製造されるため、表面と各側面が直交状態の化粧シートから成形完了後に成形型を簡単かつスムーズに取り外すことができて、化粧シートの製造作業が容易となりその製造コストの低減化を図ることができる。
【００１１】
また、請求項２に記載の発明によれば、請求項１に記載の発明の効果に加え、各型部材を分割線に沿って移動させることにより、成形型が化粧シートから取り外されるため、成形型の取り外しを一層簡単に行うことができる。
【００１２】
また、請求項３に記載の化粧シート用成形型によれば、成形型の真空成形で化粧シートを成形した後に、分割された型部材が化粧シートから順に取り外されるため、表面と各側面が直交状態の化粧シートから成形完了後に成形型を簡単かつスムーズに取り外すことができて、化粧シートの製造作業が容易となってその製造コストの低減化を図ることができる。
【００１３】
また、請求項４に記載の発明によれば、請求項３に記載の発明の効果に加え、複数の型部材が分割線によって所定方向に移動可能に形成されているため、各型部材の成形された化粧シートからの取り外しを一層簡単に行うことができる。
【００１４】
また、請求項５に記載の発明によれば、請求項３または４に記載の発明の効果に加え、複数の型部材の表面と裏面に板体と連結板が配置されているため、板体により分割線の表面への露出が防止されて化粧シートの表面品質の低下が防止されると共に、連結板により成形時の各型部材の移動等を防止できて安定した形状の化粧シートを容易に製造することができる。
【発明を実施するための最良の形態】
【００１５】
以下、本発明を実施するための最良の形態を図面に基づいて詳細に説明する。
図１〜図５は、本発明に係わる化粧シートの製造方法の一実施形態を示し、図１が該化粧シートを使用した化粧扉の一例を示す一部破断した斜視図、図２がその断面図、図３が化粧シートの斜視図、図４が成形型の分解斜視図、図５がその説明図である。
【００１６】
図１及び図２において、化粧扉１は、基材２と、この基材２の表面２ａと外周の４つの側面２ｂに接着固定された化粧シート３等で構成されている。前記基材２は、例えば広葉樹や針葉樹等を主原料としたＭＤＦ（中密度繊維板）あるいは発泡スチロール等の発泡板によって形成され、図示しないキッチンキャビネットの前面開口部と略同一の大きさ（外形形状）を有する矩形形状に形成されている。
【００１７】
そして、この基材２の表面２ａと各側面２ｂには、板厚ｔ（図２参照）が０．５ｍｍ〜１．０ｍｍの化粧シート３が被せられた状態で各面間が接着固定されている。化粧シート３は、図３に示すように、表面３ａと、この表面３ａの外周縁部に直交状態で一体形成された４つの側面３ｂと、この各側面３ｂの開口端部に水平方向外側に一体形成された鍔部３ｃとで、薄い矩形の皿形状を呈している。
【００１８】
この化粧シート３は、図４に示す成形型４を使用して、次のようにして製造される。すなわち、成形型４は、例えば二分割された木型等からなる型部材４ａ、４ｂと、この型部材４ａ、４ｂの表面側に配置される板体５と、型部材４ａ、４ｂの裏面を連結する連結板６等を備えている。なお、板体５としては、成形型４の表面と同一面積の例えば板厚２．５ｍｍ程度のアルミ板が使用され、連結板６としては、板体５より小さい面積の例えば潤滑性を有するジルコン等が使用されてその一端部が一方の型部材４ａにネジ９で固定されている。
【００１９】
また、各型部材４ａ、４ｂは、例えば成形型４の長手方向の略中心位置で板厚方向に斜めの分割線１０で分割され、板厚方向に移動可能に形成されると共に、板体５が表面側に配置された状態で連結板６で両型部材４ａ、４ｂが連結された際に、その表面と各側面からなる外形形状が、化粧シート３の形状に合致するように設定されている。
【００２０】
そして、このように構成された成形型４の各型部材４ａ、４ｂを、その表面側に板体５を配置し裏面側を連結板６で連結した状態で、成形型４を図５（ａ）に示す治具１１上に着脱可能にセットし、この成形型４の上に例えばアクリル系樹脂シート等の成形材料をセットして、成形型４の図示しない上型を下降させると共に吸引孔から吸引して真空成形する。これにより、樹脂シートが成形型４の表面と側面に吸着して成形型４の外形形状に対応した化粧シート３を成形され、この成形時に、一対の型部材４ａ、４ｂは連結板６で連結されて一体化されている。
【００２１】
成形型４によって化粧シート３が真空成形されると、この化粧シート３を成形型４と共に治具１１上から取り出し、この化粧シート３から、図５（ａ）に示すように、先ず裏面側に突出した連結板６を使用して、一方の型部材４ａを矢印イの如く回動（移動）させて化粧シート３から取り外し、図５（ｂ）に示す状態とする。この時、型部材４ａは、板厚方向に傾斜した分割線１０に沿って下方に回動しつつ取り外され、化粧シート３や他方の型部材４ｂから容易かつスムーズに取り外しできることになる。
【００２２】
一方の型部材４ａを化粧シート３から取り外したら、化粧シート３内に残っている他方の型部材４ａを、図５（ｂ）に示す矢印ロ方向に回動（移動）させることにより、図５（ｃ）に示すように、化粧シート３から成形型４の一対の型部材４ａ、４ｂが取り外された状態となる。この時、各型部材４ａ、４ｂの表面側に配置された板体５は、化粧シート３内に残った状態となっており、この板体５を図５（ｃ）の矢印ニに示すように、化粧シート３の端部を表面上部から押すことにより、板体５が矢印ハの如く化粧シート３内から取り外される。
【００２３】
これにより化粧シート３が作製され、この化粧シート３は、成形型４の表面及び各側面によって互いに直交状態の表面３ａと各側面３ｃがそれぞれ同時成形され、この時、各型部材４ａ、４ｂの連結部となる分割線１０位置に板体５が密着していることから、分割線１０位置に大きな成形線が残るようなこともなく、良好な表面品質の化粧シート３が得られる。なお、必要に応じて、成形された化粧シート３の表面側の分割線１０の位置や側面側の分割線位置をトリミングすること等によって、化粧シート３の外観品質を一層高めることができる。
【００２４】
なお、化粧扉１の前記基材２は、図２に示すように、その側面２ｂの高さ方向（板厚方向）全域に亘って例えば直線的なテーパ面１３が形成されており、このテーパ面１３の外側と化粧シート３間に形成される空間１４内に、充填剤としての接着性１５が充填されると共に、基材２の表面２ａと化粧シート３の表面３ａ間には、シート状、蜘蛛の巣状、ネット状等の粘着剤１６が介装されている。この接着剤１５により、化粧シート３の各側面３ｂが基材２の各側面２ｂに固着されると共に、粘着剤１６により、化粧シート３の表面３ａが基材２の表面２ａに粘着性を有して固着されるようになっている。
【００２５】
次に、このような化粧扉１の製造方法の一例について説明する。先ず、前述した成形型４を使用して化粧シート３を予備成形し、この化粧シート３の表面３ａと各側面３ｂのコーナ部あるいは側面３ｂの前記成形型４の連結部等をトリミングすると共に、成形品を例えば７０℃の雰囲気中で加熱して膨張させ、この状態で化粧シート３の表面３ａと各側面３ｂのコーナ部の内側に接着剤１５を所定量塗布する。
【００２６】
また一方、大面積のＭＤＦを所定の大きさに切断して基材２を作成すると共に、この基材２の側面２ｂをトリミング等することにより側面２ｂにテーパ面４を形成する木工加工を行い、この基材２の表面２ａに、粘着剤１６を貼付する。
【００２７】
そして、加熱状態で接着剤１５を塗布した化粧シート３を準備すると共に粘着剤１６を貼付した基材２を準備したら、これらを接着合体する。この接着合体は、例えば真空成形によって行われ、化粧シート３内の接着剤１５がテーパ面１３に沿って流れて空間１４内に充填されると共に、化粧シート３の表面３ａが基材２の表面２ａ側に引っ張られて粘着剤１６で化粧シート３と基材２が接着される。
【００２８】
この時、接着剤１５は真空成形により上方から下方に向けて流れる状態となり、空間１４内に均一に充填され、化粧シート３の側面３ｂと基材２の側面２ｂの接着強度が所定に確保される。また、粘着剤１６が粘着性を有することから、吸湿性等を有する基材２の変形等にも良好に追従し、化粧シート３の表面３ａに波打ち等が現れることが防止され、化粧シート３（化粧扉１）の表面３ａに良好な平滑性が確保されることになる。
【００２９】
そして、化粧シート３と基材２を接着合体したら、化粧シート３の鍔部３ｃをトリミングして削除し、化粧シート３の開口端部を直角状態にする。これにより、互いに直交する表面と外周各側面に化粧シート３が被せられ裏面に基材２の表面処理された裏面２ｃが露出する化粧扉１が製造されることになる。
【００３０】
このように、上記実施形態の化粧シート３によれば、成形型４を使用し真空成形で化粧シート３を成形した後に、分割された成形型４の一対の型部材４ａ、４ｂを化粧シート３から順に取り外すことにより化粧シート３が製造されるため、表面３ａと各側面３ｂが直交状態の化粧シート３から、成形完了後に型部材４ａ、４ｂを簡単かつスムーズに取り外すことができて、化粧シート３の製造作業が容易となりその製造コストを低減させることができる。
【００３１】
また、一対の型部材４ａ、４ｂを分割線１０に沿って回動（移動）させることにより、型部材４ａ、４ｂが化粧シート３から取り外しできるため、成形型４の取り外しを一層簡単に行うことができる。さらに、両型部材４ａ、４ｂの表面に板体５が配置されているため、分割線１０の表面への露出が防止されて化粧シート３の表面品質の低下が防止されると共に、両型部材４ａ、４ｂの裏面が連結板６で連結されているため、成形時の両型部材４ａ、４ｂの板厚方向への移動等を確実に防止できて、安定した形状の化粧シート３を容易に製造することができる。
【００３２】
また、このような化粧シート３を使用した前記化粧扉１にあっては、次のような付随的な作用効果が得られる。すなわち、側面３ｂが表面３ａに対して直角となるように予め成形された化粧シート３を、基材２の各側面２ｂに形成されたテーパ面１３を利用して被せるため、表面３ａと各側面３ｂが直交する化粧シート３を基材２の外周面に簡単かつスムーズに被せることができ、特に、化粧シート３を加熱して膨張させることで基材２への被せ作業ょ一層容易に行え、化粧扉１の製造作業の作業性が向上して安価な化粧扉１が得られる。
【００３３】
また、基材２に設けられたテーパ面１３で形成される空間１４内に接着剤１５が充填されるため、化粧扉１の各側面に良好な直交状態を維持しつつ各側面の強度確保を同時に図ることができ、特に、テーパ面１３がＭＤＦからなる基材２の側面２ｂの高さ方向の全域に設けられていることから、接着剤１５を各側面２ｂ全域のテーパ面１３に充填させることができて、化粧シート３の側面３ｂと基材２の側面２ｂ間に一層安定した強度を確保することができる。
【００３４】
また、基材２の表面２ａと化粧シート３の表面３ａ間に粘着剤１６が介装されるため、完全固化しない粘着剤１６によって、基材２の表面の変形等を吸収・緩和できて、化粧シート３の表面３ａの波打ち等が防止され、平滑性に優れた高い表面品質の化粧扉１を得ることができる。
【００３５】
さらに、予め皿状に成形された化粧シート３とテーパ面１３が形成された基材２とを接着合体することにより、表面と外周各側面が直角状態の化粧扉１を製造することができるため、前記化粧シート３の被せ作業の容易化と併せ、化粧扉１の製造を簡単に行うことができて、一層コスト安価な化粧扉１が得られ、例えばキッチンキャビネット等に好適に使用することができる。
【００３６】
またさらに、接着剤１５が化粧シート３の表面３ａと各側面３ｂのコーナ部内側に所定量塗布された状態で、化粧シート３が基材２に被せられるため、接着剤１５の塗布作業を極めて簡単に行うことができると共に、化粧シート３の内部に塗布された接着剤１５が、真空成形時に上方から下方に流下してテーパ面１３外側の空間１４内に均一に充填され、化粧シート３と基材３の側面３ｂ、２ｂ間に一層安定した接着強度を得ることができる。
【００３７】
なお、上記実施形態においては、成形型４を二分割した場合について説明したが、化粧シート３の形状によっては三分割以上に分割しても良いし、分割線１０も板厚方向に対して斜めに限らず、例えば図４の二点鎖線で示すように、板厚方向に垂直となるようにしても良い。また、化粧シート３を使用した化粧扉１の製造も、真空成形法に限らず例えば一般的なプレス成形法等によって行うこともできる。さらに、上記実施形態における化粧シート３の外形形状、板体５や連結板６の形状や材質等も一例であって、本発明に係わる各発明の要旨を逸脱しない範囲において適宜に変更することができる。
【産業上の利用可能性】
【００３８】
本発明は、キッチンキャビネットの化粧扉用の化粧シートに限らず、建築物の建具や家具、洗面化粧台等の各種化粧扉あるいは化粧パネル用の化粧シートにも適用できる。
【図面の簡単な説明】
【００３９】
【図１】本発明に係わる化粧シートを使用した化粧扉の一例を示すその一部破断した斜視図
【図２】同その断面図
【図３】同化粧シートの斜視図
【図４】同成形型の分解斜視図
【図５】同その説明図
【符号の説明】
【００４０】
１・・・化粧扉、２・・・基材、２ａ・・・表面、２ｂ・・・側面、２ｃ・・・裏面、３・・・化粧シート、３ａ・・・表面、３ｂ・・・側面、３ｃ・・・鍔部、４・・・成形型、４ａ、４ｂ・・・型部材、５・・・板体、６・・・連結板、１０・・・分割線、１３・・・テーパ面、１４・・・空間、１５・・・接着剤、１６・・・粘着剤。
【図１】
2005246888.tif 000003
【図２】
2005246888.tif 000004
【図３】
2005246888.tif 000005
【図４】
2005246888.tif 000006
【図５】
2005246888.tif 000007